(57)【要約】【課題】  非操作状態で操作体のがたつきがなく、かつ押圧操作した操作体の復帰動作時に衝撃音が発生しないようにしたプッシュスイッチを提供する。【解決手段】  スライダー３には突部３ｅが設けられ、この突部３ｅは四角錐形状で断面Ｖ字形状のテーパー面３ｅ１と３ｅ２，３ｅ３と３ｅ４が形成され、ケーシング４には、突部３ｅと同形状の凹部４ｃが設けられ、操作体１の復帰時、スライダー３は傾いて上昇し突部３ｅのテーパー面３ｅ２とケーシング４の凹部４ｃのテーパー面４ｃ２が摺動しながらスライダー３を真っ直ぐにし各突部３ｅと凹部４ｃが嵌合してスライダー３が位置決めされる。【選択図】        図１
2005353409.tif 000002
【特許請求の範囲】
【請求項１】
操作体規制部を有する操作体と、
前記操作体を上下移動可能に保持するガイド部と、前記操作体規制部と当接して該操作体の押圧移動方向と反対方向の移動を規制するケーシング規制部を有するケーシングと、
前記操作体規制部を前記ケーシング規制部方向に当接するよう弾性力を付与する復帰部材と、
前記操作体の押圧操作と、その解除操作に伴って、接離する固定接点及び可動接点と、
前記操作体と前記ケーシングの少なくとも一方に設けられ、前記操作体の操作方向に対して傾いた第１のテーパー面及び該第１のテーパー面に平行な第２のテーパー面と、
前記ケーシングと前記操作体との間に設けた、前記操作体の移動を許容するギャップと、を備え、
前記操作体の復帰時に、前記第１のテーパー面と前記第２のテーパー面とに当接しガイドされた後、前記操作体規制部と前記ケーシング規制部が当接して前記操作体の操作方向の位置が規制されることを特徴とするプッシュスイッチ。
【請求項２】
請求項１において、前記操作体に操作部を突出させてその中央に設け、前記第１，第２のテーパー面を該操作部を挟んで対向する位置に設けたことを特徴とするプッシュスイッチ。
【請求項３】
請求項１において、前記第１，第２のテーパー面に連続して前記操作体規制部あるいはケーシング規制部の少なくとも一方を設けたことを特徴とするプッシュスイッチ。
【請求項４】
請求項３において、前記第１のテーパー面と，該第１のテーパー面が設けられ前記操作体あるいは前記ケーシングの、操作体規制部あるいはケーシング規制部によってＶ字形状のテーパー面を画成し、前記操作体と前記ケーシングは一方の平行なテーパー面に接した後、他方の平行なテーパー面に接するようにしたことを特徴とするプッシュスイッチ。
【請求項５】
請求項４において、平面視して、前記Ｖ字形状のテーパー面に対して直交する面にＶ字形状のテーパー面を画成して四角錐状の面としたことを特徴とするプッシュスイッチ。
【発明の詳細な説明】
【技術分野】
【０００１】
本発明は、スライダーを押圧操作をしたのち、スライダーの復帰動作のときに発生する衝撃音等を防止するプッシュスイッチに関する。
【背景技術】
【０００２】
操作部材を押圧して、ケーシング内部に収納した可動接点と固定接点を接離させ、押圧を解除すると復帰部材によって初期位置に復帰するようにしたプッシュスイッチとして特許文献１の構成が公知であり、これを図９及び図１０に示す。なお、図９、図１０の切断線は後述の前方の脚部及び後方の脚部を通るようにしている。
【０００３】
これらの図において、２０はヒステリシス機構の押釦スイッチであり、該押釦スイッチ２０はケーシング２１上に操作体２２を装着し、該操作体２２を打鍵することによりスイッチング操作をできるように構成してある。押釦スイッチ２０のケーシング２１には方形状の膨出部２３が形成され、該膨出部２３に前記操作体２２が装着されている。即ち、操作体２２の四隅に摺動部２４，２４，２４，２４を垂設し、該摺動部２４，２４，２４，２４がケーシング２１の四隅の内側を上下に摺動できるように形成してある。従って、操作体２２はケーシング２１に対して上下動自在に装着されている。
【０００４】
また、操作体２２の裏面中央部にはコイルスプリング２５を嵌合して垂設してある。また、ケーシング２１の下面にはメンブレンスイッチ２６を敷設してある。更に、前記コイルスプリング２５の下部にクリックラバー２７の頭部を嵌合して該コイルスプリング２５とメンブレンスイッチ２６との間に該クリックラバー２７を配設している。そして、該クリックラバー２７の頭部の裏面に突設した押圧部２８をメンブレンスイッチ２６の接点２９，３０の上方に位置させている。
【０００５】
一方、前後（紙面の手前側を前、奥側を後とする）して設けられる一対の前記摺動部２４，２４の間には、前方の脚部３１，後方の脚部３２が垂設されてあり、もう一対の前記摺動部２４，２４間にも同様に前方の脚部３１，後方の脚部３２が設けられ、前方の脚部３１，３１の下端部を外方に突設してストッパ３３，３３を形成してある。また、後方の脚部３２，３２の下端部には突部３４，３４が設けられている。該突部３４は、図１０に示すように、上方から下方へ外側に拡開するテーパ状に形成されている。更に、前記ケーシング２１の膨出部２３の上縁部３５は内側へ段設されてあり、操作体２２の最上昇位置にてストッパ３３，３３は該膨出部２３の上縁部３５に係止するように脚部３１，３１に対して略直交する方向に突設されている。
【０００６】
また、前記後方の脚部３２，３２に形成した突部３４，３４は図１０に示すように、ストッパ３３，３３よりやや上方位置から拡開されると共に、前方の脚部３１，３１に対して後方の脚部３２，３２は薄く形成されており、従って、後方の脚部３２，３２は前方の脚部３１，３１より大なる弾性力を有している。即ち、意識して操作体２２を取り外さない限り、前方の脚部３１，３１は湾曲することはなく、操作体２２が脱離することはない。一方、前記クリックラバー２７の下縁部には座３６が外側へ突設されている。該座３６は脚部３１，３１の下方部が着座できるように形成してある。
【０００７】
而して、操作体２２を押圧すれば、操作体２２の下降に伴ってコイルスプリング２５がクリックラバー２７を付勢し、該クリックラバー２７の押圧部２８がメンブレンスイッチ２６の接点２９を押圧する。従って、該接点２９は接点３０に接触する。このときは、脚部３１，３１の下端部がクリックラバー２７の座３６に着座して脚部３１，３１の衝突音を防止する。
【０００８】
また、該押圧を解除すれば、クリックラバー２７及びコイルスプリング２５の弾性力により操作体２２が元の最上昇位置に復帰する。このときは、前方の脚部３１，３１に設けたストッパ３３，３３がケーシング２１の上縁部３５に到達する以前に、後方の脚部３２，３２の突部３４，３４が該上縁部３５に接触する。そして、操作体２２が上昇するに従って脚部３２，３２が湾曲し、該ケーシング２１の上縁部３５に圧接する。
【０００９】
更に、操作体２２が上昇するとストッパ３３，３３がケーシング２１の上縁部３５に係止して該操作体２２の上昇が停止する。従って、突部３４，３４のケーシング２１上縁部３５に対する圧接が、操作体２２の上昇を停止する際のストッパ３３，３３とケーシング２１との衝撃を緩和し、該衝撃音を防止する。
【特許文献１】実開平５−５５４２０号公報
【発明の開示】
【発明が解決しようとする課題】
【００１０】
このような従来のプッシュスイッチでは、前方の脚部３１，３１のストッパ３３，３３がケーシング２１の上縁部３５に到達する以前に、後方の脚部３２，３２の突部３４，３４が該上縁部３５に接触する。そして、操作体２２が上昇するに従って脚部３２，３２が湾曲し、該ケーシング２１の上縁部３５に圧接する。更に、操作体２２が上昇するとストッパ３３，３３がケーシング２１の上縁部３５に係止して該操作体２２の上昇が停止する。従って、突部３４，３４のケーシング２１上縁部３５に対する圧接が、操作体２２の上昇を停止する際のストッパ３３，３３とケーシング２１との衝撃を緩和し、該衝撃音を防止するものである。
【００１１】
しかしながら、操作体２２の上下方向の移動はケーシング２１によってガイドされているため、操作体２２の突部３４のテーパー部がケーシング２１の上縁部３５のエッジに衝突することになり、充分に音を小さくすることができないという問題があった。
【００１２】
また、操作体２２の非操作状態での位置は、脚部３２が弾性変形してストッパ３３の平坦面と上縁部３５とで位置が決められるものであり、脚部３２に弾性を持たせる必要があることから、復帰部材（クリックラバー２７及びコイルスプリング２５）のバネ圧、脚部３２の強度等考慮して設計する必要があり、その調整をするのも限界があった。
【００１３】
本発明の目的は、押圧操作した操作体の復帰動作時に衝撃音を低減し、かつ非操作状態で操作体のがたつきがないプッシュスイッチを提供することにある。
【課題を解決するための手段】
【００１４】
上述の目的を達成するために、本発明のプッシュスイッチは、操作体規制部を有する操作体と、前記操作体を上下移動可能に保持するガイド部と、前記操作体規制部と当接して該操作体の押圧移動方向と反対方向の移動を規制するケーシング規制部を有するケーシングと、前記操作体規制部を前記ケーシング規制部方向に当接するよう弾性力を付与する復帰部材と、前記操作体の押圧操作と、その解除操作に伴って、接離する固定接点及び可動接点と、前記操作体と前記ケーシングの少なくとも一方に設けられ、前記操作体の操作方向に対して傾いた第１のテーパー面及び該第１のテーパー面に平行な第２のテーパー面と、前記ケーシングと前記操作体との間に設けた、前記操作体の移動を許容するギャップと、を備え、前記操作体の復帰時に、前記第１のテーパー面と前記第２のテーパー面とに当接しガイドされた後、前記操作体規制部と前記ケーシング規制部が当接して前記操作体の操作方向の位置が規制される構成にしてある。
【００１５】
かかる構成により、第１、第２のテーパー面で接して摺動するので、跳ね返りによる音の発生が少なく、また、操作体規制部とケーシング規制部が当接して操作体の位置が規制されるので、操作体の位置を容易に決めることができる。
【００１６】
また、上述の発明のプッシュスイッチにおいて、前記操作体に操作部を突出させてその中央に設け、前記第１，第２のテーパー面を該操作部を挟んで対向する位置に設けた構成にしてある。
【００１７】
かかる構成により、離間した位置なので安定して滑る。
【００１８】
また、上述の発明のプッシュスイッチにおいて、前記第１，第２のテーパー面に連続して前記操作体規制部あるいはケーシング規制部の少なくとも一方を設けた構成にしてある。
【００１９】
かかる構成により、復帰時の音の防止構造と操作体の位置決め構造を簡単な形状とすることができる。
【００２０】
また、上述の発明のプッシュスイッチにおいて、前記第１のテーパー面と，該第１のテーパー面が設けられ前記操作体あるいは前記ケーシングの、操作体規制部あるいはケーシング規制部によってＶ字形状のテーパー面を画成し、前記操作体と前記ケーシングは一方の平行なテーパー面に接した後、他方の平行なテーパー面に接するようにした構成にしてある。
【００２１】
かかる構成により、組み込みがＶ字形状の断面に沿って多少ずれても、復帰時の音の防止を図ることができ、操作体の位置が確実に決まる。
【００２２】
また、上述の発明のプッシュスイッチにおいて、平面視して、前記Ｖ字形状のテーパー面に対して直交する面にＶ字形状のテーパー面を画成して四角錐状の面とした構成にしてある。
【００２３】
かかる構成により、どの方向に多少ずれても、復帰時の音の防止を図ることができ、平面視した際の操作体の位置が決まる。
【発明の効果】
【００２４】
本発明は、第１、第２のテーパー面で接して摺動するので、跳ね返りによる音の発生が少なく、また、操作体規制部とケーシング規制部が当接して操作体の位置が規制されるので、操作体の位置を容易に決めることができる。
【発明を実施するための最良の形態】
【００２５】
以下、本発明のプッシュスイッチの実施例を図面に基づいて説明する。
【実施例１】
【００２６】
図１は本発明の実施例に係るプッシュスイッチの非押圧状態を示す断面図、図２は図１に示すプッシュスイッチの横断断面図、図３は図１の要部拡大断面図、図４は図１に示すプッシュスイッチの動作状態を示す説明図、図５は図１に示すプッシュスイッチの動作状態を示す説明図、図６は衝撃音を防ぐ動作を示す説明図、図７は本実施例の動作を示す説明図である。なお、操作体の傾きやクリアランスは作図上実際より大きく表している。
【００２７】
本実施例のプッシュスイッチは、図１〜図７に示すように、１は操作体を総括的に示し、該操作体１はそれぞれ合成樹脂の成形品からなるノブ２とスライダー３とで構成されている。前記ノブ２は下面を開口する箱形状に成形され、天板の下面中央には係合突起２ａが形成されている。一方、前記スライダー３は、上下を開口する四角枠状に成形されたスライダー本体３ａと、そのスライダー本体３ａの上部に小径としたノブ取り付け部３ｂとが形成され、そしてスライダー本体３ａと取り付け部３ｂとの間には段部３ｃが設けられている。また、スライダー本体３ａの全ての側壁の中央には上下方向に延びる突条３ｄが設けられている。また、スライダー３の段部３ｃ上の四隅には、四角錐形状の突部３ｅがそれぞれ突設されている。これらの突部３ｅは四角錐形状であるので、断面Ｖ字形状のテーパー面３ｅ１（操作体規制部），３ｅ２が構成され、また、平面視して直交配置にも断面Ｖ字形状のテーパー面３ｅ３，３ｅ４が構成されている。更に、各突部３ｅはノブ２を取り付けた取り付け部３ｂを中心にして４ヵ所配置され、各突部３ｅのテーパー面３ｅ１は平行に設定され、また、テーパー面３ｅ２，３ｅ３，３ｅ４もそれぞれ平行に設定されている。また、スライダー本体３ａの内部の一側面寄り（図１で左側）には、板片からなりその下端を細幅とした駆動部３ｆが設けられ、この駆動部３ｆがスイッチ部６を押圧するようになっている。これらのノブ２とスライダー３とは、それぞれの係合突起孔２ａと取り付け部３ｂを嵌合することにより、接合・一体化されている。
【００２８】
４はケーシングを示し、該ケーシング４はプリント基板５の所定位置に融着等の適宜手段を用いて載置・固定されている。このケーシング４の全ての内側面には上下方向に一対の突条により構成されたガイド溝４ａ（ガイド部）が配設されており、これらガイド溝４ａ内を前記各突条３ｄが移動することにより、スライダー３およびこれと一体のノブ２はケーシング４に対して上下動可能にガイドされている。また、ケーシング４の開口を有する上板部４ｂの下面には、スライダー３の突部３ｅと対応する位置に四角錐形状の凹部４ｃがそれぞれ設けられ、非操作状態（図１）では、突部３ｅと凹部４ｃが嵌合し、位置決めされている。これらの凹部４ｃには、上述の各突部３ｅのテーパー面３ｅ１，３ｅ２，３ｅ３，３ｅ４と対向するテーパー面４ｃ１（ケーシング規制部），４ｃ２，４ｃ３，４ｃ４が形成され、図１の状態で突部３ｅのテーパー面３ｅ１等と凹部４ｃのテーパー面４ｃ１等はほぼ噛み合うように同形状に形成されている。
【００２９】
なお、スライダー本体３ａの側面とケーシング４の内側面との間には、スライダー本体３ａをスムーズに押圧操作できるようにクリアランスがある。
【００３０】
６はスイッチ部でタクトスイッチで構成しノブ２の中央から外れた位置に設けられている。そして、スイッチ部６は、ツマミ６ａと、このツマミ６ａの下方に設けられ弾性を有して導電材料からなる可動接点部（図示せず、復帰部材に相当）と、図示しないが内部底面に形成された２つの固定接点と、ケース６ｂとで構成され、このスイッチ部６はその端子をプリント基板５に形成された取り付け孔あるいは接続パターンにはんだ付け等されて固定されている。そして、ツマミ６ａをスライダー本体３ａの駆動部３ｆによって押圧しあるいは押圧を開放することによって、前記可動接点部が前記２つの固定接点に接離するようになっている。
【００３１】
なお、７はノブ２の照光表示部を照光するランプであり、照光の都合上ノブ２の平面視して中央位置のほぼ真下に配置されている。
【００３２】
次に、プッシュスイッチの動作を図１〜図６に基づいて説明すると、操作体１（スライダー本体３ａ）が未操作の状態では、図１に示すように、スライダー本体３ａはケーシング４内で、スイッチ部６の可動接点部の弾性力によって上方に付勢されている。このとき、図３に示すように、スライダー３の突部３ｅがケーシング４の凹部４ｃに当接して嵌合し、弾性力Ｆが突部３ｅから分力Ｆ１，Ｆ１として断面Ｖ字形状のテーパー面４ｃ１，４ｃ２に作用して（なお、これらテーパー面と直交配置の他のテーパー面４ｃ３，４ｃ４に対しても同様に分力Ｆは作用している）、図１において左右方向（実施例では突部３ｅ、凹部４ｃは四角錐形状であるので、紙面に直交する方向も）が規制されて、操作体１はその操作方向に直交する面方向をがた無く位置決めされる。また、スライダー３の各突条３ｄはケーシング４のガイド溝４ａ内に位置している。そして、スライダー３の側面とケーシング４の内惻面との間にはクリアランスがあり、また、突条３ｄとガイド溝４ａとの間にもクリアランスがある。
【００３３】
この図１の状態で操作体１を押圧すると、クリアランスがあることから引っ掛かること無く押圧され、図４に示すように、スライダー３の駆動部３ｆがスイッチ部６のツマミ６ａを漸次押圧して、接点部４ｂが固定接点に接触し、ＯＮの状態となる。
【００３４】
次に、図４に示すＯＮの状態から操作体１の押圧を解除すると、スイッチ部６ツマミ６ａによって駆動部３ｆを介してスライダー３（操作体１）が上方に押し戻される。このとき、スイッチ部６はスライダー３の左端寄りで駆動部３ｆを押し上げ、かつ上述したようにクリアランスがあるので、スライダー３は図５に示すように右側に傾きながら押し上げられることになる。したがって、スライダー３の左側の突部３ｅの先端３ｅｃは凹部４ｃの底部中心４ｃｃより右にずれており、突部３ｅの右のテーパー面３ｅ２が凹部４ｃの右のテーパー面４ｃ２に当接し（図６に示す丸数字１までの工程）両者は摺動しながらスライダー３は左方向に移動し（図６に示す丸数字２までの工程）、右に傾いていたスライダー３は真っ直ぐになるように移動し図１の状態になる。
【００３５】
なお、該動作に関して以下に詳細に説明する。
【００３６】
本実施例においては、隣り合う突部３ｅ間（図２の図で示すと左右間、または上下間）の距離と、それに対向する凹部４ｃ間の距離をほぼ同じに設定している。
【００３７】
従って、突部３ｅと凹部４ｃのセンターが図６に示すようにずれている場合、左側の突部３ｅのテーパー面３ｅ２が左側の凹部４ｃのテーパー面４ｃ２に接触すると、これらに平行な右側の突部３ｅのテーパー面３ｅ２と傾斜面４ｃ２が当接する。そして、その状態においては、両方の突部３ｅは共に左側（丸数字２方向）に動き得るスペースが画成されているので、スライダーはスムーズに左側方向に滑ることが可能であり異音は削減される。
【００３８】
そして、このようにする理由を図７を用いて以下に詳細に示す。図７では、隣り合う突部と凹部の距離が同じ場合を実線で示し、２点鎖線で隣り合う突部の間隔がセンターずれＸの量を超えて狭い場合（図７で言うとＹが０以上の状態）の例を示し、破線で隣り合う突部の間隔がセンターずれＸの量を超えて広い場合（図７で言うとＺが０以上の状態）を示す。隣り合う突部の間隔がセンターずれＸの量を超えて狭い場合、左側の突部３ｅの右側の傾斜面３ｅ２と左側の突部３ｅの左側の傾斜面３ｅ１ａが、凹部のテーパー面と当接している。このようになるとスライダー３は当接後に引き続いて移動しづらく一旦静止してしまうので、よって大きな音を発生しやすくなる。また、隣り合う突部の間隔がセンターずれＸの量を超えて広い場合、今度は左側の凹部４ｃのテーパー面４ｃ１と右側の凹部４ｃのテーパー面４ｃ２に、左側の突部のテーパー面３ｅ１ｂと右側の突部３ｅのテーパー面３ｅ２が接することとなり同様の問題が生じる。
【００３９】
そして、本実施例においては、このような状態が生じる可能性が無いように、隣り合う突部の互いに平行なテーパー面が、対向する凹部の平行な面にそれぞれ当接するようにしている。具体的には図６の例で説明すると、スライダー３はテーパー面３ｅ２と４ｃ２で接して摺動するので、テーパー面３ｅ２と４ｃ２の当接の際も突き当たるものでなく摺動するように接触することにより、跳ね返りによる衝撃音の発生が少なくなり、また、丸数字１から丸数字２へテーパー面３ｅ２、４ｃ２とで摺動していくので、スライダー３の上昇（移動）速度を低減でき、図１の状態、すなわち、テーパー面３ｅ１と４ｃ１とが当接して位置決めする際にも衝撃音を防止できる。また、右の突部３ｅの左右のテーパー面３ｅ１，３ｅ２も右の凹部４ｃの左右のテーパー面４ｃ１，４ｃ２に当接し、図３に示すように、分力Ｆ１が作用して突部３ｅは凹部４ｃに位置決めされて、スライダー３は、図１の未操作の状態に戻るようになる。
【００４０】
ところで、本実施例において、左側の凹部４ｃのテーパー面４ｃ２或は左側の突部３ｅのテーパー面３ｅ２が第１のテーパー面に相当する。また、これと平行な右側の突部３ｅのテーパー面３ｅ２が第２のテーパー面に相当する。そして、可動接点（復帰部材）の弾性力によって操作体１はこれらの第１と第２のテーパー面にガイドされ移動する。
【００４１】
また、突部３ｅのテーパー面３ｅ１が操作体規制部に相当し、凹部４ｃのテーパー面４ｃ１がケーシング規制部に相当する。そして、これらが接することによって上記第１、第２のテーパー面にガイドされて移動した操作体１の上方向（押圧移動方向）の移動を規制する。
【００４２】
なお、上記説明においては操作体１が右側にセンターずれした場合について説明したが、逆に左側にセンターずれして突部３ｅのテーパー面３ｅ１と凹部４ｃのテーパー面４ｃ１が接した後に、テーパー面３ｅ２と凹部４ｃのテーパー面４ｃ２が接する場合には、操作体１はテーパー面３ｅ２，４ｃ２によってガイドされるのでテーパー面３ｅ１，４ｃ１が第１、第２のテーパー面に相当し、テーパー面３ｅ２，４ｃ２によって操作体１の位置が規制されるのでテーパー面３ｅ２，４ｃ２が規制部に相当することとなる。
【００４３】
なお、操作体１が図２の上下方向にセンターずれした場合には、今度はテーパー面３ｅ３，４ｃ３，３ｅ４，４ｃ４が上述のテーパー面３ｅ１，３ｅ２，４ｃ１，４ｃ２に代わって第１、第２のテーパー面、操作体規制部、ケーシング規制部に相当するが、上述の説明と同様のため、詳細は省略する。
【００４４】
本実施例によれば、操作体１の復帰時、テーパー面３ｅ１，４ｃ１等で接して摺動するので、跳ね返りによる衝撃音の発生が少なく、また、突部３ｅと凹部４ｃ（ケーシング規制部）が当接して操作体１の位置が規制されるので、操作体１の位置を容易に決めることができる。
【００４５】
また、操作体１にノブ２（操作部）を突出させてその中央に設け、テーパー面３ｅ１，３ｅ２，３ｅ３，３ｅ４をノブ２（操作部）を挟んで対向する位置に設けた構成にしてあるので、離間して配置することができるので、操作体１の小さな傾きでも確実にテーパー面同士は安定して滑る。
【００４６】
また、テーパー面３ｅ１，３ｅ２，３ｅ３，３ｅ４に連続して位置決め面を設けた（兼ねた）構成にしてあるので、操作体１の復帰時の音の防止構造と操作体１の位置決め構造を簡単な形状とすることができる。
【００４７】
また、テーパー面３ｅ１と３ｅ２，３ｅ３と３ｅ４，４ｃ１と４ｃ２，４ｃ３と４ｃ４をＶ字形状のテーパー面とし、一方の平行なテーパー面に接した後、他方の平行なテーパー面に接するようにした構成にしてあるので、組み込みが、凹部を切断した際にＶ字の断面を得ることができるために多少ずれても、復帰時の音の防止を図ることができ、操作体１の位置が確実に決まる。
【００４８】
また、平面視して、直交する面にＶ字形状のテーパー面３ｅ１と３ｅ２，３ｅ３と３ｅ４とした構成にしてあるので、どの方向に多少ずれても、復帰時の音の防止を図ることができ、平面視した際の操作体１の位置が決まる。
【００４９】
また、突部３ｅ（並びに凹部４ｃ）を四角錐形状としてテーパー部を設けたため、スライダー３も四角形状であることから平面視してどの方向にずれても、面接触となるので、テーパー面間の接触がスムーズで動作上好適である。
【００５０】
なお、本実施例では、突部３ｅ（並びに凹部４ｃ）を四角錐形状で説明したが、本発明はこれに限られるものでなく、円錐形状、あるいは三角錐形状としても良い。
【００５１】
また、突部３ｅと凹部４ｃとスライダー３の傾き（変位量）との関係は、スライダー３の復帰時、スライダー３はクリアランスと偏倚した位置にある復帰部材とにより傾きながら上昇するわけであるが、この際のスライダー３の突部３ｅの先端３ｅｃの位置が、ケーシング４の凹部４ｃのテーパー面内にあれば良い。また、突部３ｅの先端３ｅｃは角より丸みを設けた方がより良い。
【００５２】
また、本実施例では、スライダー３に突部３ｅを設け、ケーシング４に凹部４ｃを設けたが、スライダーに凹部を設け、ケーシングに突部を設けても、あるいはスライダーに突部と凹部を設けるようにしても良い。
【００５３】
また、本実施例においては、突部３ｅと凹部４ｃの両方を全てを直線状のテーパー面とし、面接触してガイドされ、面接触して位置規制されるようにしている。しかし、テーパー面についてはガイドする機能だけなので、突部と凹部の一方がテーパー面であればよく、また規制部についても位置が定まれば良いだけなので面と面が接するような形状でなくとも良い。
【００５４】
また、本実施例においては、図２に示すように４隅に四角錐状の突部３ｅを設けており、図２の左右方向のズレに対しては、上列の一対の突部３ｅ及び下列の一対の突部３ｅが消音と位置決めに寄与し、上下方向のズレに対しては右列の一対の突部３ｅ及び左列の一対の突部３ｅが寄与するようにしている。従って、少ない突部の個数で、安定して所定の機能を果たすことが可能であるが、左右方向に対しては中央（図２の上下の突部３ｅの中間位置）に一列、上下方向に対して中央（図２の左右の突部３ｅの中間位置）に一列の突部を設ける、あるいは、左右方向、上下方向の専用の突部を設けることも可能である。
【実施例２】
【００５５】
図８は本発明の他の実施例に係るプッシュスイッチの要部断面図である。
【００５６】
この他の実施例では、スライダー３の中央にツマミ８が突設され、そのツマミ８を中心にして一方にテーパー面９ａが設けられ、他方にテーパー面９ａに平行なテーパー面９ｂが設けられている。これらのテーパー面９ａ，９ｂはスライダー３の操作方向に対して傾いている。また、ケーシング４にも、テーパー面９ａ，９ｂと対応するテーパー面１０ａ，１０ｂが設けられている。また、平坦面１２、１１が設けられている。
【００５７】
これらのテーパー面９ａ，９ｂ，１０ａ，１０ｂにより、上述したようにスライダー３の復帰時に摺動して、スライダー３の移動速度を減速して、衝撃音を防止する。なお、該実施例においては、テーパー面９ａ，１０ａが第１のテーパー面に相当し、テーパー面９ｂ，１０ｂが第２のテーパー面に相当し、平坦面１１がケーシング規制部、平坦面１２が操作体規制部に相当する。
【００５８】
この他の実施例で特に説明していない構成は、前記実施例と同様である。
【００５９】
なお、スイッチ部６の可動接点が復帰部材に相当するが、本発明はこれに限られるものでなく、可動接点とは別にスプリング、ゴム等の弾性部材でスライダーを復帰させるようにしても良い。
【図面の簡単な説明】
【００６０】
【図１】本発明の実施例に係るプッシュスイッチの非押圧状態を示す断面図である。
【図２】図１に示すプッシュスイッチの横断断面図である。
【図３】図１の要部拡大断面図である。
【図４】図１に示すプッシュスイッチの動作状態を示す説明図である。
【図５】図１に示すプッシュスイッチの動作状態を示す説明図である。
【図６】衝撃音を防ぐ動作を示す説明図である。
【図７】本実施例の動作を示す説明図である。
【図８】本発明の他の実施例に係るプッシュスイッチの要部断面図である。
【図９】従来のプッシュスイッチの断面図である。
【図１０】図９に示すプッシュスイッチの要部断面図である。
【符号の説明】
【００６１】
１  操作体
２  ノブ
３  スライダー
３ｅ  突部
３ｅ１、３ｅ２、３ｅ３、３ｅ４  テーパー面
４  ケーシング
４ｃ  凹部
４ｃ１、４ｃ２、４ｃ３、４ｃ４  テーパー面
６  スイッチ部
９ａ、９ａ  テーパー面
１０ａ、１０ｂ  テーパー面
【図１】
2005353409.tif 000003
【図２】
2005353409.tif 000004
【図３】
2005353409.tif 000005
【図４】
2005353409.tif 000006
【図５】
2005353409.tif 000007
【図６】
2005353409.tif 000008
【図７】
2005353409.tif 000009
【図８】
2005353409.tif 000010
【図９】
2005353409.tif 000011
【図１０】
2005353409.tif 000012